(57)【要約】【課題】床面から天井面までの高さを有するドアの開口枠構造を提供する。【解決手段】床面１６から天井面１７までの高さを有するドア１１の開口枠構造１０であり、床面から天井面までの高さ寸法を有する左右縦枠１８，１９と、ドアを閉めたときにドアの閉じ側の上端部に略当接する位置において天井面に直接取り付けられて左右縦枠間に連続して延長する天井用戸当たり２４とを有してなる。上枠を用いないので施工が容易であると共に、ドアを閉めた状態では開き側からは天井用戸当たりがドア上端部の背後に隠れて見えないので、すっきりした外観を与え、明かり漏れも生じない。天井面に取り付けられるベース部材と、このベース部材に着脱可能に嵌合される天井戸当たり部材とで天井用戸当たりを構成し、該天井戸当たり部材を、左右縦枠内面に取り付けられる縦枠戸当たり部材と同一構成として兼用可能とすることにより、コスト低減を図る。【選択図】図１
2015161119.tif 000002
【特許請求の範囲】
【請求項１】
床面から天井面までの高さを有するドアの開口枠構造であって、床面から天井面までの高さ寸法を有する左右縦枠と、ドアを閉めたときにドアの閉じ側の上端部に略当接する位置において天井面に直接取り付けられて左右縦枠間に連続して延長する天井用戸当たりとを有してなることを特徴とするドア開口枠構造。
【請求項２】
ドアを閉めたときにドアの閉じ側の左右端部に略当接する位置において左右縦枠内面に縦枠用戸当たりが取り付けられることを特徴とする、請求項１記載のドア開口枠構造。
【請求項３】
前記天井用戸当たりが、天井面に取り付けられるベース部材と、このベース部材に着脱可能に嵌合される天井戸当たり部材とからなり、前記縦枠用戸当たりが、左右縦枠の各内面に形成した戸当たり溝に嵌入して取り付けられる縦枠戸当たり部材からなり、天井戸当たり部材と縦枠戸当たり部材が同一構成で兼用可能であることを特徴とする、請求項２記載のドア開口枠構造。
【発明の詳細な説明】
【技術分野】
【０００１】
本発明は、ドアを開閉自在に取り付けるドア開口枠構造に関し、特に、床面から天井面までの高さを有するドア用の開口枠構造に関する。
【背景技術】
【０００２】
建物の室内用ドアなどにおいて、床面から天井面までの高さを有するドアを設置することが要求される場合がある。この場合のドア開口枠構造には、一般に、左右壁面に取り付けられる左右縦枠と、左右縦枠間において天井面に取り付けられる上枠とからなる三方枠の開口枠が用いられている（なお、さらに床面に設けた下枠を有する四方枠が用いられることもあるが、バリアフリーへの要求から現在では三方枠が用いられることが多いので、ここでは三方枠として説明する）。そして、左右縦枠と上枠の各閉じ側（背面側）の内面には戸当たり溝が形成され、これらの戸当たり溝に戸当たりが取り付けられる。
【先行技術文献】
【特許文献】
【０００３】
【特許文献１】特開２００９−０１９４６８号公報
【発明の概要】
【発明が解決しようとする課題】
【０００４】
このようなドア開口枠を開口部に設置するに当たり、左右縦枠と上枠とをあらかじめ枠組みした後に開口部に取り付ける施工方法を採用する場合、開口部の内面および天井面との間に隙間がないので、施工が容易ではなかった。
【０００５】
また、左右縦枠を開口部の左右内面に各々取り付けた後に上枠を天井面に取り付ける施工方法を採用する場合、左右の縦枠が前後方向にずれないように取り付けなければならないだけでなく、左右縦枠の戸当たり溝と上枠の戸当たり溝の位置を一致させなければならず、これも施工手間がかかるものであった。
【０００６】
さらには、上枠が見えてしまうのですっきりした外観を得ることができないという意匠的な問題もあった。
【０００７】
下記特許文献１に開示されたドア開口枠構造では、上枠が左右縦枠の背面側に隠れるように取り付けられているので、ドアを閉めたときには正面側から上枠が見えずにすっきりした外観が得られるという効果を発揮する。しかしながら、左右縦枠と上枠とからなる三方枠としてドア開口枠が形成される点においては、既述のドア開口枠と同様であるから、上述した施工上の問題は何ら解決されていない。
【０００８】
上枠を省いて左右縦枠のみで開口枠を形成することも考えられるが、このようにするとドアを閉めた状態であってもドアと天井面との間のわずかな隙間から明かりが漏れてしまい、実用的ではない。
【０００９】
したがって、本発明が解決しようとする課題は、床面から天井面までの高さを有するドアの開口枠について、意匠的に良好な外観を与えると共に容易に施工可能である新規な構造を提供することである。
【課題を解決するための手段】
【００１０】
この課題を解決するため、請求項１に係る本発明は、床面から天井面までの高さを有するドアの開口枠構造であって、床面から天井面までの高さ寸法を有する左右縦枠と、ドアを閉めたときにドアの閉じ側の上端部に略当接する位置において天井面に直接取り付けられて左右縦枠間に連続して延長する天井用戸当たりとを有してなることを特徴とする。
【００１１】
請求項２に係る本発明は、請求項１記載のドア開口枠構造において、ドアを閉めたときにドアの閉じ側の左右端部に略当接する位置において左右縦枠内面に縦枠用戸当たりが取り付けられることを特徴とする。
【００１２】
請求項３に係る本発明は、請求項２記載のドア開口枠構造において、前記天井用戸当たりが、天井面に取り付けられるベース部材と、このベース部材に着脱可能に嵌合される天井戸当たり部材とからなり、前記縦枠用戸当たりが、左右縦枠の各内面に形成した戸当たり溝に嵌入して取り付けられる縦枠戸当たり部材からなり、天井戸当たり部材と縦枠戸当たり部材が同一構成で兼用可能であることを特徴とする。
【発明の効果】
【００１３】
請求項１に係る本発明によれば、開口枠に上枠を用いないので左右縦枠のみを開口部の左右内面に取り付け、また、天井用戸当たりは左右縦枠の位置に対して厳密な精度を要求されることなく天井面に取り付けることができるので、施工が容易であり、熟練した大工でなくても手間を要せずに施工することができる効果がある。
【００１４】
また、意匠性の面においても、上枠がなく、ドアを閉めた状態では天井用戸当たりもドアの背面側に隠れて見えず、さらに、ドアの内外（部屋同士または部屋と廊下）において天井面が連続しているかのような外観を得ることができる。また、天井戸当たりが設けられることにより、ドアを閉めたときの明かり漏れを防止することができる。
【００１５】
請求項２に係る本発明によれば、上記効果に加えて、天井用戸当たりと縦枠用戸当たりとでドアを閉めたときの戸当たり作用を十分に発揮することができる効果がある。また、天井用戸当たりと縦枠用戸当たりとで厳密な位置合わせを要求されないので、施工が容易である。
【００１６】
請求項３に係る本発明によれば、上記効果に加えて、天井用戸当たりを構成する天井戸当たり部材と縦枠用戸当たりを構成する縦枠戸当たり部材とが同一構成で兼用可能であるため、ドア開口枠構造の全体コストを抑え、施工もより容易化させることができる効果がある。
【図面の簡単な説明】
【００１７】
【図１】本発明の一実施形態によるドア開口枠構造（ドアを閉めた状態）を開き側から見た正面図（ａ）および閉じ側から見た正面図（ｂ）である。
【図２】図１（ａ）中ＩＩ−ＩＩ線による断面図である。
【図３】図１（ａ）中ＩＩＩ−ＩＩＩ線による断面図である。
【図４】図３中ＩＶ部拡大断面図である。
【発明を実施するための形態】
【００１８】
図１は本発明の一実施形態によるドア開口枠構造１０をドア１１が完全に閉じられた状態で示し、同図（ａ）は開き側から見た正面図、（ｂ）は閉じ側から見た正面図である。図２は図１（ａ）中ＩＩ−ＩＩ線による断面図、図３は図１（ａ）中ＩＩＩ−ＩＩＩ線による断面図、図４は図３中ＩＶ部拡大断面図である。
【００１９】
このドア開口枠構造１０は、たとえば部屋と廊下とを隔てる壁１２に形成される開口部１３にドア１１を開閉自在に設置するために用いられ、この場合、内開きであれば部屋側が開き側（図１（ａ））、廊下側が閉じ側（図１（ｂ））となり、外開きであれば廊下側が開き側（図１（ａ））、部屋側が閉じ側（図１（ｂ））となる。また、このようなドア開口枠構造１０を部屋同士の間の壁１２に形成される開口部１３にドア１１を開閉自在に設置するために用いても良い。ドア１１の表裏面の適所にはドア開閉操作用の把手１４，１５が取り付けられている。
【００２０】
このドア開口枠構造１０は、床面１６から天井面１７までの高さを有するドア１１を設置するためのものであり、したがって開口部１３は左右の壁面１２，１２間の幅寸法および床面１６から天井面１７までの高さ寸法を有する。そして、この開口部１３に設置される開口枠は、床面１６から天井面１７までの高さ寸法を有する左右縦枠１８，１９が開口部１３の左右内面に各々取り付けられることによって形成され、上枠を有しない構成である。縦枠１８，１９の各内面には一対の戸当たり溝２０，２１がその高さ方向略全長に亘って形成され、この各一対の戸当たり溝２０，２１に縦枠用戸当たり２２，２３が取り付けられている。縦枠用戸当たり２２，２３の詳細構成は後述する。
【００２１】
天井面１７には、左右縦枠１８，１９間において天井用戸当たり２４が取り付けられている。この実施形態において、天井用戸当たり２４は、ドア１１を閉めたときにドア１１の廊下側の上端部に略当接する位置（図２参照）に取り付けられている。したがって、ドア１１を閉めると、部屋側からはドア１１の上端部の背後に隠れて見えなくなる（図１（ａ）参照）。廊下側からは天井用戸当たり２４が常に見えている（図１（ｂ）参照）。
【００２２】
特に図３および図４を参照して、天井用戸当たり２４は、略コ字形の断面形状を有するベース部材２５と、このベース部材２５に着脱可能に嵌合される天井戸当たり部材２６の２部材で構成されている。天井用戸当たり２４を天井面１７に取り付けるには、ベース部材２５の底面に長さ方向（左右縦枠１８，１９間の幅方向）に適当間隔で複数形成されているネジ穴（符号なし）にネジ２８を通してベース部材２５を天井板２９および天井下地材３０に固定し、次いで、この固定されたベース部材２５に対して下方から天井戸当たり部材２６を嵌合させることによりベース部材２５と一体化させれば良い。
【００２３】
天井戸当たり部材２６は、一対の脚部２６ａと、これら脚部２６ａ，２６ａを接続する略コ字形断面形状の基端部２６ｂとから一体に形成され、基端部２６ｂの戸当たり側の側面にはクッション片２７が設けられている。各脚部２６ａはベース部材２５に着脱可能に嵌合される内寸を有し、基端部２６ｂはベース部材２６と略同一の外寸を有する。各脚部２６ａは、ベース部材２５に嵌合された状態から引き抜こうとする力が加えられても容易には離脱しないように、矢じり状の凹凸２６ｃが側面に形成されている。
【００２４】
天井戸当たり部材２６は、縦枠１８，１９の内面に取り付けられる縦枠用戸当たり２２，２３と同一構成である。すなわち、一対の脚部２６ａ，２６ａは、縦枠１８，１９の内面に形成された一対の戸当たり溝２０，２１に嵌入可能な間隔および形状を有するように形成される。このようにすることで天井戸当たり部材２６と縦枠用戸当たり２２，２３とを同一構成の戸当たり部材で兼用させることができ、コストを低減させる。また、天井用戸当たり２４と縦枠用戸当たり２２，２３との間に外観上の統一性を持たせることができるので、違和感のない意匠性を与える。
【００２５】
このドア開口枠構造１０の施工は次のようにして行うことができる。まず、開口部１３の左右内面に左右縦枠１８，１９をネジや接着剤など（いずれも図示せず）で固定する。縦枠１８，１９の片側面にはあらかじめ戸当たり溝２０，２１が形成されており、この戸当たり溝２０，２１が内面側となるようにして左右縦枠１８，１９が取り付けられる。左右縦枠１８，１９を開口部１３内面に固定するに際しては、左右縦枠１８，１９が開口部１３の前後方向にずれないように位置決めして固定する必要があるが、従来技術において既述したような上枠との取り合いは不要であるから、それほど厳密な位置精度は要求されず、施工は容易である。
【００２６】
次いで、上記のようにして固定された左右縦枠１８，１９間に天井用戸当たり２４の天井戸当たり部材２５を天井面１７に直接ネジ２８で固定する。この固定方法は図３および図４を参照して既述した通りである。天井戸当たり部材２５は、既に開口部１３内面に固定されている左右縦枠１８，１９の各内面に取り付けられる縦枠用戸当たり２２，２３に略合致する前後方向位置に取り付けられるので、先に縦枠用戸当たり２２，２３を取り付けておくと、それに合わせて天井戸当たり部材２５を位置決めすることができ、位置決めおよび施工が容易になる。このようにして天井戸当たり部材２５を天井面１７に直付けした後、その開口部に天井戸当たり部材２６を嵌着させて、天井用戸当たり２４の施工が完了する。
【００２７】
縦枠用戸当たり２２，２３が取り付けられていない場合はその後に縦枠用戸当たり２２，２３を取り付けて、ドア用開口枠構造１０の施工が完了する。
【００２８】
上記説明から理解できるように、このドア用開口枠構造１０の施工に際しては左右縦枠１８，１９同士およびこれらと天井用戸当たり２４（天井戸当たり部材２６）の位置決め精度がそれほど高く要求されないので、熟練した大工でなくても容易に施工することができる。
【００２９】
また、施工状態においてドア１１を閉めたとき（図１）に、天井用戸当たり２４がドア１１の閉じ側（この実施形態では廊下側）に隠れて見えなくなるので、すっきりした外観を与えることができる。さらに、ドア１１が閉まっている状態で部屋側から見ると、床面１６はもちろん天井面１７もドア１１の内外に連続しているかのような印象を与えることができるので、統一感・一体感のある外観を与えることができる。
【００３０】
また、ドア１１の上端と天井面１７との間に若干の隙間が開いていても、この隙間は天井用戸当たり２４で隠されるので、ドア１１を閉めた状態での明かり漏れを防止することができる。
【００３１】
また、既述したように天井用戸当たり２４の天井戸当たり部材２６は縦枠用戸当たり２２，２３と同一構成で兼用可能であるので、天井戸当たり部材２６の専用部材としてはベース部材２５だけを用意すれば良く、全体のコストを低減させることができると共に、これら戸当たりの施工も容易になり、戸当たり同士に統一性・一体性を与えて意匠性を高めることができる。
【符号の説明】
【００３２】
１０  ドア開口枠構造
１１  ドア
１２  壁
１３  開口部
１４，１５  把手
１６  床面
１７  天井面
１８，１９  縦枠
２０，２１  戸当たり溝
２２，２３  縦枠用戸当たり
２４  天井用戸当たり
２５  ベース部材
２６  天井戸当たり部材
２６ａ  脚部
２６ｂ  基端部
２６ｃ  凹凸
２７  クッション片
２８  ネジ
２９  天井板
３０  天井下地材
【図１】
2015161119.tif 000003
【図２】
2015161119.tif 000004
【図３】
2015161119.tif 000005
【図４】
2015161119.tif 000006